(57)【特許請求の範囲】
【請求項１】
光源と、該光源からの出射光を偏向する光偏向素子と、該光偏向素子の光進行方向後段に配置され、異なる拡大率を有する走査角およびビーム広がり角の複数の拡大レンズ系とを有し、
前記光偏向素子により偏向されたビームを前記複数の拡大レンズ系のいずれかに導いて、複数の走査角および空間分解能を得る光走査装置において、
前記光源と前記光偏向素子とがそれぞれ１つ設けられ、前記光偏向素子と前記複数の拡大レンズ系との間に、ビームの進行方向を変化させて前記複数の拡大レンズ系のいずれかに選択的に導く光スイッチが設けられていることを特徴とする光走査装置。
【請求項２】
請求項１に記載の光走査装置において、
前記光スイッチは、前記複数の拡大レンズ系に個別に対応して並列に配置され、それぞれがビームを直進させる場合と進行方向と直交する方向に向きを変える場合とに選択的に切り替え可能な構成を有していることを特徴とする光走査装置。
【請求項３】
請求項１又は２に記載の光走査装置において、
前記光偏向素子が、電気光学結晶の基板に分極制御技術を用いて電気光学プリズムを作製することにより形成されていることを特徴とする光走査装置。
【請求項４】
請求項３に記載の光走査装置において、
前記電気光学結晶が、ニオブ酸リチウム、酸化マグネシウム添加ニオブ酸リチウム、ニオブ酸タンタルのうちのいずれかであることを特徴とする光走査装置。
【請求項５】
請求項１〜４のいずれか１つに記載の光走査装置において、
前記複数の拡大レンズ系はそれぞれ、凸レンズと、該凸レンズの光進行方向下流に位置する凹レンズとのペアからなることを特徴とする光走査装置。
【請求項６】
光源から出射されるパルス波または変調波からなる出射光を対象物に向けて走査する光走査装置と、前記出射光が対象物で反射した反射光を受光する受光手段と、出射光と反射光の時間差または位相差から対象物までの距離値を演算する距離値演算器と、を有するレーザレーダ装置において、
前記光走査装置が、請求項１〜５のいずれか１つに記載の光走査装置であることを特徴とするレーザレーダ装置。
【発明の詳細な説明】
【技術分野】
【０００１】
本発明は、光走査装置、該光走査装置を有するレーザレーダ装置に関する。
【背景技術】
【０００２】
光走査装置の光偏向器は、振動ガルバノメーター、ポリゴンミラー、ＭＥＭＳミラーなどの機械式偏向器と、音響光学素子や電気光学素子などの非機械式光偏向器とに大別される。光偏向器の利用分野としては、レーザープリンタ、バーコードリーダ、プロジェクタ、レーザレーダなどが挙げられる。レーザレーダは、測量、環境計測、自動車の前方監視などさまざまな分野で実用化されている。
【０００３】
特許文献１には、車載レーザレーダにおいて、測定対象が遠距離である場合と近距離である場合とで空間分解能を一定とする目的で、光ビームの走査角と広がり角を可変にする構成が開示されている。
特許文献２には、距離に応じて複数の空間分解能を設定する目的で、計測領域に向けて走査するレーザ光の走査ピッチを変更するという方法が開示されている。
特許文献３では、凸面鏡を備えた走査角拡大の光学系を用いたレーザレーダにおいて、走査角が大きい領域でも空間分解能を一定とすることを目的として、可動コリメートレンズを用いてビーム広がり角を抑制する方法が開示されている。
【発明の概要】
【発明が解決しようとする課題】
【０００４】
レーザレーダでは、測定対象が遠距離であっても近距離であっても走査面内の空間分解能が一定であることが望ましい。また、近距離では広い走査角を有することが望ましく、長距離では狭い走査角であっても差し支えない。
しかしながら、従来のレーザレーダ用の光偏向器では、距離に応じて複数の走査角および空間分解能を設定するためには、光偏向器やその周辺の光学素子が大型化する、または複雑な制御が必要となる、または機械的的な可動部分を有するために構成が複雑になるという問題があった。
【０００５】
特許文献１に記載の方式では、測定対象までの距離に応じて光偏向器の走査角を変化させる必要があるとともに、測定対象までの距離に応じて光ビームの広がり角を変化させるためにレーザダイオードとコリメートレンズの距離を制御する必要があるため、複雑な構成になるという問題を避けられない。
特許文献２に記載の方式では、レーザ光源の発振タイミングとパルス周期、または連続レーザ光の変調周期と位相を制御する必要があり、また光学スキャン装置のスキャン速度をリアルタイムに変更する必要があるために、装置の制御が複雑になるというという問題を避けられない。
特許文献３に記載の方式では、可動コリメートレンズを用いているので、複雑な構成になるという問題を避けられない。
【０００６】
本発明は、上記のような現状に鑑みてなされたもので、複数の走査角および空間分解能を設定することができる光走査装置を、小型かつ簡便な構成で実現することを、その主な目的とする。
【課題を解決するための手段】
【０００７】
上記目的を達成するために、請求項１に記載の発明は、光源と、該光源からの出射光を偏向する光偏向素子と、該光偏向素子の光進行方向後段に配置され、異なる拡大率を有する走査角およびビーム広がり角の複数の拡大レンズ系とを有し、前記光偏向素子により偏向されたビームを前記複数の拡大レンズ系のいずれかに導いて、複数の走査角および空間分解能を得る光走査装置において、前記光源と前記光偏向素子とがそれぞれ１つ設けられ、前記光偏向素子と前記複数の拡大レンズ系との間に、ビームの進行方向を変化させて前記複数の拡大レンズ系のいずれかに選択的に導く光スイッチが設けられていることを特徴とする。
【０００８】
請求項２に記載の発明は、請求項１に記載の光走査装置において、前記光スイッチは、前記複数の拡大レンズ系に個別に対応して並列に配置され、それぞれがビームを直進させる場合と進行方向と直交する方向に向きを変える場合とに選択的に切り替え可能な構成を有していることを特徴とする。
請求項３に記載の発明は、請求項１又は２に記載の光走査装置において、前記光偏向素子が、電気光学結晶の基板に分極制御技術を用いて電気光学プリズムを作製することにより形成されていることを特徴とする。
請求項４に記載の発明は、請求項３に記載の光走査装置において、前記電気光学結晶が、ニオブ酸リチウム、酸化マグネシウム添加ニオブ酸リチウム、ニオブ酸タンタルのうちのいずれかであることを特徴とする。
【０００９】
請求項５に記載の発明は、請求項１〜４のいずれか１つに記載の光走査装置において、前記複数の拡大レンズ系はそれぞれ、凸レンズと、該凸レンズの光進行方向下流に位置する凹レンズとのペアからなることを特徴とする。
請求項６に記載の発明は、レーザレーダ装置において、光源から出射されるパルス波または変調波からなる出射光を対象物に向けて走査する光走査装置と、前記出射光が対象物で反射した反射光を受光する受光手段と、出射光と反射光の時間差または位相差から対象物までの距離値を演算する距離値演算器と、を有するレーザレーダ装置において、
前記光走査装置が、請求項１〜５のいずれか１つに記載の光走査装置であることを特徴とする。
【発明の効果】
【００１２】
本発明によれば、複数の走査角および空間分解能を設定することができる光走査装置を、小型かつ簡易な構成で実現することができる。
【図面の簡単な説明】
【００１３】
【図１】本発明の第１の実施形態（参考例）に係るレーザレーダ装置の構成を示すブロック図である。
【図２】光走査装置の構成を示す概要平面図である。
【図３】光偏向素子に印加する電圧と偏向角との関係を示すグラフである。
【図４】測定対象までの距離と各ビームの測定範囲との関係を示す図である。
【図５】第２の実施形態（参考例）に係る光走査装置の構成を示す概要平面図である。
【図６】第３の実施形態に係る光走査装置の構成を示す概要平面図である。
【発明を実施するための形態】
【００１４】
以下、本発明の実施形態を図を参照して説明する。
図１乃至図４に基づいて第１の実施形態（参考例）を説明する。図１は本実施形態に係る車載用のレーザレーダ装置１０の構成を示すブロック図である。例えば車の前方下部に取り付けられるレーザレーダ装置１０は、光走査装置１２と、受光器１４と、電圧制御装置１６と、センシング制御装置１８等を有している。光走査装置１２は、光源装置２０と光偏向素子２２とを備え、電圧制御装置１６は光偏向素子２２への電圧印加を制御する。
センシング制御装置１８は、バス２４を介して図示しない主制御装置等へ電気的に接続されている。
【００１５】
図２に、複数の走査角および空間分解能を設定することができる光走査装置１２の構成の概要を示す。
光偏向素子２２は、複数の光偏向素子（１、２、３・・・Ｎ）を並列に配置して構成されている。光偏向素子２２の前段（光進行方向上流）には、複数の光偏向素子に個別に対応して複数の光源（１、２、３・・・Ｎ）が配置されており、光源装置２０を構成している。
光偏向素子２２の後段（光進行方向下流）には、複数の光偏向素子に個別に対応して、異なる拡大率を有する走査角およびビーム広がり角の拡大レンズ系（１、２、３・・・Ｎ）２６が配置されている（図１では省略）。
【００１６】
光偏向素子２２は、電気光学結晶の基板２８に複数の光偏向素子（１〜Ｎ）を形成することにより構成されている。光偏向素子の実現方法としては、ニオブ酸リチウムなどの強誘電体結晶の分極制御技術を用いて、プリズム型の分極ドメインを形成しその分極軸方向に電圧を印加することによって屈折率を変化させ、光を偏向させる方法が挙げられる。
この方法によれば、プリズム型の分極ドメインをフォトリソグラフィーにもとづいた方法で形成することができるので、多数のプリズムを同一の結晶基板上に集積することが可能であるので、本発明における光偏向素子の形成方法として好ましい方法である。
また、ニオブ酸リチウム結晶による光偏向素子はバルク型、導波路型のいずれでもよく、バルク型の場合にはビームの面積を大きくすることができるので高パワーのビームを偏向することができ、導波路型の場合には導波路に光を閉じ込めることによって電極間隔を小さくすることができるので、低電圧での光偏向が可能となる。
【００１７】
複数の光源は半導体レーザや固体レーザなど特に限定はされないが、半導体レーザをアレイ状に配置すれば小型かつ簡便な構成が可能である。
各拡大レンズ系２６は、凸レンズと凹レンズのペアから構成されている。凸レンズｎ（ｎ＝１・・・Ｎ）、凹レンズｎ（ｎ＝１・・・Ｎ）の焦点距離は、それぞれｆ１ｎ、ｆ２ｎである。ビームが偏向角θ、広がり角Δθで凸レンズｎと凹レンズｎのペアを通過すると、θ、Δθともに同じ割合で拡大される。
このときの拡大率αｎとｆ１ｎ、ｆ２ｎの関係は次のように表される。
ｆ１ｎ＝＝αｎＬ／（αｎ―１）
ｆ２ｎ＝Ｌ／（αｎ―１）
αｎ＝ｆ１ｎ／ｆ２ｎ
ここでＬは、凸レンズｎと凹レンズｎの間隔である。なお、拡大率が１でよい場合には、凸レンズおよび凹レンズを取り除けばよい。
【００１８】
図３はＮ＝３として、光走査装置１２を製作し動作させたときの、電気光学結晶に印加する電圧と偏向角の関係である。
電気光学結晶はニオブ酸リチウムであり、厚さ１０μｍの導波路として、その上下にクラッド層と電極を配置している。電極を介して電圧制御装置１６により電圧が印加される。
各光偏向素子は分極制御技術を用いて、プリズム型の分極ドメインを形成することによって実現した。プリズム型の分極ドメインは長さ２０ｍｍの間に２０連作製されている。電気光学結晶２８のサイズは２５ｍｍ×６ｍｍ×０．５ｍｍである。
走査角およびビーム広がり角の拡大のレンズ系の拡大率αｎおよび焦点距離ｆ１ｎ、ｆ２ｎは、次のように設定した。
ビーム１の拡大率α１＝１．０
拡大率１倍なので、レンズ系は不要
ビーム２の拡大率α２＝１．５
ｆ１ｎ＝１５ｍｍ、ｆ２ｎ＝１０ｍｍ
ビーム３の拡大率α３＝３．０
ｆ１ｎ＝７．５ｍｍ、ｆ２ｎ＝２．５ｍｍ
【００１９】
凸レンズと凹レンズの間の距離は、レンズを組付けする筐体の設計および製作が容易となるように５ｍｍで一定となるように設計した。
ビーム１の走査角は約±１００ｍｒａｄであり、その広がり角＝２ｍｒａｄ、ビーム２の走査角は約±１５０ｍｒａｄであり、その広がり角＝３ｍｒａｄ、ビーム３の走査角は約±３００ｍｒａｄであり、その広がり角＝６ｍｒａｄとなった。
これをレーザレーダ装置に応用し、９０ｍまでの範囲の測定を行う場合について述べる。図４は測定対象までの距離に応じて、０ｍから３０ｍまではビーム３、３０ｍから６０ｍまではビーム２、６０ｍから９０ｍまではビーム１で測定を行う場合の概略図である。
【００２０】
このとき、測定に用いるビームを切り替える境界となる距離での空間分解能は次の通りとなる。
ビーム１で測定する最も遠方の３０ｍにおいては、ビーム１の広がり角が６ｍｒａｄであるので１８ｃｍ、ビーム２で測定する最も遠方の６０ｍにおいては、ビーム２の広がり角が３ｍｒａｄであるので１８ｃｍ、ビーム１で測定する最も遠方の９０ｍにおいては、ビーム１の広がり角が６ｍｒａｄであるので１８ｃｍとなり、すべての測定領域において１８ｃｍ以下の空間分解能を得ることができる。ビームの切り替えはセンシング制御装置１８によってなされる。
なお、ここではビームを切り替える距離が等間隔の場合を示したが、必ずしも等間隔である必要はなく、その場合には測定距離に応じて拡大レンズ系の拡大率を設定すればよい。
このように本発明によれば、並列に配置された光偏向素子の前段に複数の光源、並列に配置された光偏向素子の後段に、異なる拡大率を有する走査角およびビーム広がり角の拡大レンズ系を配置することによって、複数の走査角および空間分解能を設定することができる光走査装置を小型かつ簡便に実現することができる。
【００２１】
センシング制御装置１８は、各光源（半導体レーザ）の点灯タイミング及び消灯タイミングに関する情報を電圧制御装置１６に通知する。
電圧制御装置１６は、上記タイミング情報に基づいて印加電圧Ｖを制御する。半導体レーザが点灯している時間内に印加電圧Ｖを変化させることにより、光偏向素子から射出される光束を偏向することができる。
受光器１４は、光偏向素子２２から射出され、車両の前方にある物体から反射された光束を受光する。受光器１４は受光量に応じた信号（光電変換信号）を生成し、センシング制御装置１８に出力する。
距離値演算器としてのセンシング制御装置１８は、そのときに点灯している半導体レーザ及びそのときの印加電圧Ｖから光束の射出方向を求め、該射出方向と受光器１４からの信号に基づいて、物体の大きさ、車両に対する物体の位置などを求める。
ここで得られたデータは、時間情報とともに監視データとして図示しないメモリに格納される。上記主制御装置は、メモリに格納されている監視データに基づいて車両の前方に物体があるか否か、物体があるときにその物体が移動しているか否か、該物体が移動しているときにはその移動方向及び移動速度を求める。この情報は図示しない表示装置に表示される。
【００２２】
本実施形態では、上記のように電気光学プリズムを電気光学結晶に分極制御技術を用いて集積化するので、装置の小型化が可能である。
また、走査角およびビーム広がり角拡大のレンズ系は、固定焦点のレンズを固定位置で実現しているので、電気光学プリズムの構成の簡便さとあわせて装置全体が小型かつ簡便な構成となる。
本実施形態では、拡大レンズ系を凸レンズと凹レンズのペアとして構成したが、これに限定される趣旨ではなく単レンズで構成してもよい。
【００２３】
図５に基づいて第２の実施形態（参考例）を説明する。なお、上記実施形態と同一部分は同一符号で示し、特に必要がない限り既にした構成上及び機能上の説明は省略して要部のみ説明する（以下の他の実施形態において同じ）。
本実施形態では光源装置２０は単一の光源で構成されており、光源装置２０と光偏向素子２２との間には、所定の拡大レンズ系に対応する光偏向素子を選択するための光スイッチ３６が配置されている。
光スイッチ３６は、複数の光偏向素子に個別に対応して複数（１、２、３・・・Ｎ）配置されている。
【００２４】
ビーム１を出力するときには光スイッチ１をＯＮ、すなわち図５において光が直進するような状態とする。光ビームｎ（ｎ＝２からＮまで）を出力するときには、光スイッチ１をＯＦＦ、すなわち図５において光の進行方向がそれまでの進行方向と直角の方向へと変化するような状態とし、光スイッチｎをＯＮ、すなわち図５において光の進行方向がそれまでの進行方向と直角の方向へと変化するような状態とする。
光スイッチ３６としては、たとえばＭＥＭＳミラーや電気光学効果を利用した全反射ミラーなどが挙げられ、いずれも小型かつ簡便な構成とすることが可能である。
このように本発明によれば、並列に配置された光偏向素子の前段に単一の光源および光偏向素子を選択するための複数の光スイッチ、並列に配置された光偏向素子の後段に異なる拡大率を有する走査角およびビーム広がり角の拡大レンズ系を配置することによって、複数の走査角および空間分解能を設定することができる光走査装置を実現することできる。
【００２５】
図６に基づいて第３の実施形態を説明する。
本実施形態では光源装置２０が単一の光源で構成されているとともに、光偏向素子２２が単一の光偏向素子で構成されており、光偏向素子２２と拡大レンズ系２６との間には、所定の拡大レンズ系を選択するための光スイッチ３６が配置されている。
ビーム１を出力するときには光スイッチ１をＯＮ、すなわち図６において光が直進するような状態とする。光ビームｎ（ｎ＝２からＮまで）を出力するときには、光スイッチ１をＯＦＦ、すなわち図６において光の進行方向がそれまでの進行方向と直角の方向へと変化するような状態とし、光スイッチｎをＯＮ、すなわち図６において光の進行方向がそれまでの進行方向と直角の方向へと変化するような状態とする。
このように本発明によれば、単一の光偏向素子の前段に単一の光源、単一の光偏向素子の後段に異なる拡大率を有する走査角およびビーム広がり角の拡大レンズ系と、拡大レンズ系を選択するための複数の光スイッチを配置することによって、複数の走査角および空間分解能を設定することができる光走査装置を実現することができる。
【符号の説明】
【００２６】
１０  レーザレーダ装置
１２  光走査装置
２０  光源
２２  光偏向素子
２６  拡大レンズ系
２８  電気光学結晶の基板
３６  光スイッチ
【先行技術文献】
【特許文献】
【００２７】
【特許文献１】特開２０００−７５０３０号公報
【特許文献２】特開２００８−２４１２７３号公報
【特許文献３】特許４１５１３５８号公報
【図１】
0005664049.tif 000002
【図２】
0005664049.tif 000003
【図３】
0005664049.tif 000004
【図４】
0005664049.tif 000005
【図５】
0005664049.tif 000006
【図６】
0005664049.tif 000007